(57)【要約】サイドバー（１６，１６’）を備えた旋回タンブラー錠は、通常はサイドバー（１６，１６’）の動作を閉鎖するように配置されサイドバー（１６，１６’）を自由に動作させるための特別に構成された鍵（３４，３４’）によって移動される軸方向に往復運動するスライダー（２４，２４’）によってさらに高いレベルの安全保護が提供されている。これは第３のレベルの錠の安定保護を提供し、さらにマスターキーイングも可能にする。独自の鍵（３４，３４’）は、鍵の制御をさらに可能にするために、スライダー（２４，２４’）と共に動作するように形成されたリブ（４０）の一部を有する。
2004521201.tif 000002
【特許請求の範囲】
【請求項１】
軸および鍵道を備えた回転可能なシリンダーを有するタイプのシリンダー錠であって、上記シリンダー錠は鍵の制御の下でサイドバーと選択的に接触する回転可能な往復運動するタンブラーによって制御されていて、上記シリンダー錠は、
上記鍵と接触することによって動作すると共に上記サイドバーと共に動作して上記サイドバーの動きおよび上記シリンダー錠の動作を制御する移動可能な部材を有する、シリンダー錠。
【請求項２】
移動可能な部材が、シリンダー内で上記シリンダーの軸と平行に摺動するスライダーからなる、請求項１記載のシリンダー錠。
【請求項３】
スライダーが、シリンダーの軸と平行な向きに付勢されている、請求項２記載のシリンダー錠。
【請求項４】
スライダーが、シリンダー内のばねによって鍵道の入り口に向かう向きに押されることによって付勢されている、請求項３記載のシリンダー錠。
【請求項５】
スライダーが、鍵と接触するために鍵道内に延在する拡張部を有する、請求項３記載のシリンダー錠。
【請求項６】
拡張部が、鍵が鍵道に挿入されたときに上記鍵の一部と共に動作するような形状の突出部からなる、請求項５記載のシリンダー錠。
【請求項７】
スライダーがシリンダー錠に設けられた鍵道の開口を通して上記シリンダー錠内に挿入可能である、請求項３記載のシリンダー錠。
【請求項８】
スライダーがシリンダーの端部の開口を通して長手方向に挿入可能である、請求項３記載のシリンダー錠。
【請求項９】
請求項１記載のシリンダー錠用の鍵であって、
上記鍵は鍵道に適合し、
上記鍵は、上記鍵が上記鍵道内に挿入されたとき移動可能な部材と接触して上記移動可能な部材の施錠の動きを制御する部分を備えたリブを有する、シリンダー錠用の鍵。
【請求項１０】
請求項１記載のシリンダー錠用の鍵ブランクであって、
上記鍵ブランクは鍵道に適合し、
上記鍵ブランクは、上記鍵ブランクが上記鍵道内に挿入されたときスライダーの接触部分と接触するように配置されて上記スライダーの施錠の動きを制御する部分を備えたリブを有する、シリンダー錠用の鍵ブランク。
【請求項１１】
請求項１記載のシリンダー錠および請求項７記載の鍵を有するマスターキーイングシステムであって、
ある鍵がスライダーの動作を制御するように動作し、他の鍵が上記スライダーの動作を制御しないように、上記スライダーの接触部分の形状および上記鍵のリブの接触部分の形状が異なっている、マスターキーイングシステム。
【請求項１２】
軸および鍵道を備えた回転可能なシリンダーを含むシリンダー錠の組み合わせであって、上記シリンダー錠の組み合わせは、サイドバーに接触すると共に上記サイドバーを制御する回転可能な往復運動するタンブラーによって制御されていて、上記シリンダー錠の組み合わせは、
上記シリンダーによって保持されたスライダーと、
上記鍵道の入り口に向けて所定の位置に上記スライダーを付勢するためのばねとを有し、
上記サイドバーは間隔を置いて配置されたタングを有し、
上記スライダーは間隔を置いて配置された突出部を有し、上記サイドバーの上記タングおよび上記スライダーの上記突出部は互いに干渉して、上記スライダーが上記ばねの付勢力に対抗して移動して上記スライダーの上記タングが上記サイドバーの上記突出部の間の空間内に配置されない限り、上記サイドバーの動作を妨げ、
上記スライダーは上記鍵道内に延在する接触面を備えた突出部を有し、
上記シリンダー錠の組み合わせは、上記鍵道内に挿入するための鍵をさらに有し、
上記鍵は、上記スライダーの上記突出部の上記接触面と接触すると共に上記スライダーを上記ばねの付勢力に対抗して上記スライダーの上記タングが上記サイドバーの上記突出部と干渉しない位置まで移動させるための接触面を有する、シリンダー錠の組み合わせ。
【請求項１３】
スライダーが鍵道の底部を通してシリンダー錠内に挿入可能である、請求項１０記載のシリンダー錠の組み合わせ。
【請求項１４】
スライダーがシリンダーの端部の開口を通してシリンダー錠内に長手方向に挿入可能である、請求項１０記載のシリンダー錠の組み合わせ。
【請求項１５】
軸および鍵道を備えた回転可能なシリンダーと、回転可能な往復運動するタンブラーと、上記タンブラーと接触するための移動可能なサイドバーと、上記鍵道内に延在する突出部を備えた上記サイドバーの動作を制御するためのスライダーとを有するシリンダー錠用の鍵を形成するための鍵ブランクであって、
鍵のつまみと、
上記鍵道の輪郭の構成と相補的な輪郭を提供する溝を備えた鍵のブレードと、
上記突出部と共に動作すると共に上記サイドバーを閉鎖しないように上記スライダーを移動させるための接触面を備えた少なくともひとつのリブと
を有する、鍵ブランク。
【請求項１６】
軸および鍵道を備えた回転可能なシリンダーと、回転可能な往復運動するタンブラーと、上記タンブラーと接触するための移動可能なサイドバーと、上記鍵道内に延在する突出部を備えた上記サイドバーの動作を制御するためのスライダーとを有するシリンダー錠用の鍵であって、
鍵のつまみと、
上記鍵道の輪郭の構成と相補的な輪郭を提供する溝を備えた鍵のブレードと、
上記突出部と共に動作すると共に上記サイドバーを閉鎖しないように上記スライダーを移動させるための接触面を備えた少なくともひとつのリブと
を有する、シリンダー錠用の鍵。
【請求項１７】
軸および鍵道を備えた回転可能なシリンダーを有するシリンダー錠であって、上記シリンダー錠は、サイドバーに接触すると共に上記サイドバーを制御する回転可能な往復運動するタンブラーによって制御されていて、上記シリンダー錠は、
上記シリンダーに保持されたスライダーと、
上記鍵道の入り口に向けて上記スライダーを付勢するためのばねと
を有し、
上記スライダーが間隔を置いて配置されたタングを有し、
上記サイドバーが間隔を置いて配置された突出部を有し、
上記サイドバーの上記タングおよび上記スライダーの上記突出部は互いに干渉して、上記スライダーが上記ばねの付勢力に対抗して移動して上記スライダーの上記タングが上記サイドバーの上記突出部の間の空間内に配置されない限り、上記サイドバーの動作を妨げ、
上記スライダーが、上記鍵道に挿入可能な適正な鍵と共に動作しかつ上記適正な鍵によって駆動される上記鍵道内に延在する接触面を備えた突出部を有する、シリンダー錠。
【請求項１８】
スライダーの突出部の接触面が、マスターキーイングを提供するために、シリンダー錠用の鍵のさまざまな形状の接触面と共に動作するような形状を有する、請求項１３記載のシリンダー錠。
【請求項１９】
請求項１記載のシリンダー錠用の鍵ブランクであって、
上記鍵ブランクは鍵道に適合する形状を有し、
上記鍵ブランクは、鍵ブランクがシリンダー内に挿入されたときにスライダーと接触するように配置されると共に上記スライダーの施錠の動きを制御するための構成を有する一部を備えたリブを有する、鍵ブランク。
【発明の詳細な説明】
【発明の内容の開示】
【０００１】
関連出願の参照
本出願は２００１年２月６日に出願された米国特許出願第０９／７７６，９２９号の一部継続出願である。
【技術分野】
【０００２】
本発明は、回転ピンタンブラー式サイドバー錠およびその錠用の鍵に関する。
【背景技術】
【０００３】
錠を動作させるためのタンブラーおよび鍵のサイドバーが制御された回転または旋回タンブラー錠は、当業者にはよく知られていて、２０年以上に亘ってアメリカ合衆国バージニア州セイレムのメデコ・セキュリティ・ロックス・インコーポレイテッド（Medeco Security Locks, Inc.）によって製造および販売されてきた。それらの錠の例が、メデコ・セキュリティ・ロックス・インコーポレイテッドに譲渡された以下の特許に記載されている。スペインら（Spain）による３，４９９，３０２号（１９７０年）、スペインらによる３，７２２，２４０号（１９７３年）、オリバー（Oliver）による４，６３５，４５５号（１９８７年）、フィールド（Field）による５，２８９，７０９号（１９９４年）、フィールドによる５，４１９，１６８号（１９９５年）、フィールドによる５，５７０，６０１号（１９９６年）、フィールドによる５，６１５，５６５号（１９９７年）、およびフィールドによる６，０２３，９５４号（２０００年）。
【０００４】
安全保護（セキュリティー）は錠に必須の特徴であり、二重の機構を備えた旋回タンブラー錠に適用される別の安全保護は非常に望ましい。
【０００５】
高度の安全保護を備えた錠のさらなる非常に望ましい特徴はマスターキーイングの可能性である。別の安全保護を備え、かつマスターキーイングのそのような用意（可能性）を用いることによって、マスターキーイングシステムに対する可能性が提供される。
【０００６】
鍵の制御を完成する別の安全保護を提供するためにそのようなタイプの錠に対する独自の鍵および鍵ブランクを提供することも有益である。
【発明の概要】
【０００７】
本発明は、メデコタイプの錠として知られている基本的な旋回タンブラー二重固定機構錠の安全保護を強化するための改良に関し、オリジナルのメデコシリンダー錠、メデコカム錠、メデコバイアキシャル（Biaxial：登録商標）錠、先端が変位したタンブラーピンを備えたメデコバイレベル（Bi-Level：登録商標）錠を含むサイドバー機構を備えた任意のメデコタイプの錠に適用できる。本発明は、錠のシリンダーの軸に略沿って摺動しかつ鍵のブレードのリブの端部と接触するための突出部を有する摺動部材を用いている。すなわち、鍵はサイドバーを制御するスライダーを配置して、サイドバーが非閉鎖位置に移動できるようにする。サイドバーをスライダーによって制御すること、および独自の鍵および鍵ブレードによって、さらに高い程度の安全保護が提供され、マスターキーイングおよび鍵の制御が可能になる。
【好ましい実施の形態の詳細な説明】
【０００８】
図１から図３に示されているように、シリンダー（またはプラグ）１０は、メデコの錠で通常みられるように鍵道１２を有する。タンブラー穴１４は、タンブラー１１（図１２）を回転させ、往復運動をさせ、すなわち、旋回するために設けられていて、タンブラー１１の側面には、図１２および図１３に示されているように従来技術のメデコの構成および上述された特許に教示され示されているようにサイドバー１６を受容するための構造１３が設けられている。そのようなメデコの錠のその他の部分は公知なので、簡単化のためにその他の部分は図１２および図１３の従来技術の例示を除き、省略される。
【０００９】
サイドバー１６は、知られているように、シリンダー（またはプラグ）１０の軸に向かって横方向に往復運動するように配置されていて、かつプラグ１０から離れるようにばねによって付勢されていて、錠に対する別のレベルの施錠制御が提供されている。サイドバー１６は、図１３に示されたメデコの錠で通常みられるようにケーシングの内側のカム溝１９と共に動作するカム１８を有する。プラグ１０が鍵によって回転されようとすると、カム溝１９によってサイドバー１６がシリンダー１０の中心に向けて内向きに移動できるようにされる。サイドバー１６はタンブラー１１の構造１３と係合するための突出部２０を有し、この突出部２０によって、公知のメデコの錠のように、タンブラー１１が鍵によって正しい位置に回転されたときサイドバー１６がプラグ１０の軸に向けて移動してケーシングと干渉しないようにする。
【００１０】
本発明では、サイドバー１６は図１および図２に示されているようにサイドバー１６の下側面に沿って間隔を置いて配置されたスロット２２をも有する。突出部２３がスロット２２の間の間隔によって画定されている。
【００１１】
シリンダー（またはプラグ）１０の軸穴３０内にはスライダー２４が配置されていて、スライダー２４は回転可能なシリンダー（またはプラグ）１０の軸と平行な軸に沿って摺動する。スライダー２４自体に突出部２６が設けられていて、以下に記載されるように適正な鍵と係合するために突出部２６の一方の端部が鍵道１２内に延在している。所定の期間に亘ってスライダー２４を軸穴３０内で錠の前面または鍵進入点に向けて軸方向に付勢するためのばね２８が設けられている。
【００１２】
図１、図２、および図３に示されているようにスライダー２４の側面には間隔を置いて配置されたタング３２がさらに設けられている。これらのタング３２の寸法および長さは、スライダー２４が適切に配置されたときにサイドバー１６のスロット２２内にタング３２が適合し、スライダー２４が適切に配置されていないときにサイドバー１６の突出部２３とタング３２が干渉するように、設定されている。図２に示されているように、スライダー２４のタング３２およびサイドバー１６の突出部２３は相互に作用して、サイドバー１６が内向きに移動するのを防止し、したがって、サイドバー１６および錠の動作を阻止（閉鎖）する。
【００１３】
図６に示されているように、スライダー２４のばね２８が圧縮されてスライダー２４のタング３２がサイドバー１６のスロット２２内に配置されたとき、サイドバー１６は図５および図６に示されているように動作することができる。したがって、スライダー２４は、タンブラーの往復運動および回転に加えて、第３のレベルの錠の制御を提供する。
【００１４】
独自の鍵ブランク３４には、錠を動作させるための適切な合い形３５が設けられていてよい。鍵ブランク３４は、つまみ３６およびブレード３８を有する。ブレード３８は鍵道１２の輪郭と合致する輪郭を有する。鍵ブランク３４（および鍵）の側面には、スライダー２４の突出部２６と接触するために形成された接触面４２を備えたリブ４０が設けられている。図６に示されているように、鍵が挿入されてリブ４０の端部（接触面）４２が突出部２６と接触すると、突出部２６がばね２８を圧縮して、サイドバー１６の動作を妨害しないようにスライダー２４を配置する。
【００１５】
図８、図９、図１０、および図１１は、鍵のリブ４０の接触面４２の形状が異なり、接触面４２と相補的な表面を備えた突出部２６を有するスライダー２４が重ね合わされている他の実施の形態を示している。図８は、図１から図７の実施の形態と等しいが、図６の開いた位置を示している。図９では、スライダーの突出部２６は同様に構成された鍵のリブの端部４２ａを受容するための段部４４として形成されている。図１０の実施の形態は、鍵のリブ４０の遠位の端部の傾斜面４２ｂと相互に動作するための傾斜面４６を有する。図１１の実施の形態は、相補的な形状のリブの表面４２と相互に動作するための突出部２６の歯形面４８を有する。マスターキーイングの可能性を例示すると、図８の鍵が図８に示すスライダー２４を適正に配置し、図１１の鍵が図１１のスライダー２４を適正に動作させる。図８の鍵は図１１のスライダー２４をも適正に配置する。しかし、図１１の鍵は図８のスライダー２４を遠方に向けて押し出しすぎるので錠が開けられない。同様に、図８の鍵は図９または図１０のように構成されたスライダーを動作させることができず、その理由は図８の鍵がスライダー２４を遠方に向けて押し出しすぎて錠が開けられないからである。異なる形状に構成された鍵のリブの遠位の端部を備えたさまざまな鍵を提供し、異なる形状に構成されたスライダーの突出部を備えたさまざまなシリンダーを提供することによって、シリンダーをさまざまな鍵によって選択的に動作させるようにすることができる。
【００１６】
図１４から図２０は、閉鎖部材（またはスライダー）がシリンダーの端部から挿入可能なロッドである代わりに鍵道の底部から挿入可能なブロックの形態である他の実施の形態を示している。この実施の形態は、サイドバーを閉鎖しない位置に配置されたスライダーを示す図１４、図１５、および図１６を参照してより詳細に説明される。図示されているように、プラグ１０は底部に鍵道１２の開口を有する。サイドバー１６’は、以下に説明されるようにサイドバー１６’がスライダーと干渉しないかスライダーによって閉鎖されるようにする間隔を置いて配置されたスロット２２’を有する。既に記載された実施の形態のように、本発明は図１２および図１３に示されたメデコの旋回タンブラー錠の環境内で実施され、その環境では、サイドバー１６’はシリンダー（またはプラグ）の軸に対して横方向に往復運動してより高いレベルの施錠を提供し、サイドバー１６’がばねによって内向きに付勢されていて、ケーシングの内側のカム溝１９内に保持されているかカム溝１９を通りすぎ、カム溝１９は図１６および図１９に示されているようにかつメデコの錠では通常みられるようにサイドバーのカム１８と相互に動作する。プラグが鍵によって旋回されようとした場合、カム１８はサイドバー１６’をシリンダーの中心に向けて内向きに動かそうとする。サイドバー１６’は当業者に知られているように旋回するシリンダーと共に動作するための突出部２０’を有する。サイドバー１６’もその側面に沿って間隔を置いて配置されたスロット２２’を有する。
【００１７】
この実施の形態のスライダーは、シリンダーシェル内に適合しかつ鍵道１２の底部の開口から挿入できる形状のブロック形の部材２４’からなる。ばね２８’が図１５および図１８に示すように鍵のつまみに向かってスライダー２４’を付勢するために設けられている。スライダー２４’は空間３０’内で鍵の軸に沿って移動する。プラグ形状のスライダー２４’は図１５および図１８に示すように上側面に間隔を置いて配置されたタング３２’を有する。これらのタング３２’は、図１５および図１６に示すように鍵によってスライダー２４’が配置されたときに、サイドバー１６’のスロット２２’内に移動できる。しかし、図１８に示すように、鍵がスライダー２４’を移動させない場合、タング３２’は干渉点３３によって示されているようにスロット２２’の外側でサイドバー１６’の一部と干渉し、これによって、サイドバー１６’が軸に向かって内向きに移動するのが妨害されて、錠が動作されて完全に開けられるのが防止される。このような錠が開けられない状態は、図２０に示された鍵３４’のような適正な鍵が鍵道１２に挿入されてスライダー部材２４’が図１８の通常位置から図１５の非閉鎖位置へ移動する場合を除いて、全ての場合に生じる。これ（錠が開けられない状態）は、鍵道内に延在して鍵のブレード３８’の輪郭と交差するスライダー２４’の別の突出部３５によっても達成される。鍵のブレード３８’は突出部３５に接触する停止部４２’を有し、この停止部４２’は鍵が挿入されて図１５に示すようにタング３２’がスロット２２’内に配置されてサイドバーが動作できるようになったときにばね２８’を圧縮する。
【００１８】
動作時には、鍵３４’が鍵道１２’内に挿入さればね２８’の付勢力に対抗してスライダー２４’を動かし、突出部３２’がスロット２２’と共に動作する位置に配置されたとき、サイドバー１６’が動作して鍵がプラグを回転させて錠を動作させる。鍵３４’の部分（停止部）４２’が突出部３５に接触しないと、スライダー（またはブロック）２４’が錠の動作を阻止（閉鎖）する。
【００１９】
図８から図１１の鍵もこの実施の形態に用いることができる。
【００２０】
この構成の利点は、この構成によってマスターキーイングが可能になり、さらに安全保護が提供されることであり、その理由は、この構成が、選択的なマスターキーイングの可能性を備えた錠を構成するのに用いられる通常のピンおよびタンブラーのマスターキーイング技術を必要としないからである。通常のマスターキーイング技術を補うために用いられる場合、さらに可能性が提供されて顧客に最も安全が保護されたシステムが提案される。
【００２１】
本発明が特定の実施の形態に関して記載されたが、これらの実施の形態は本発明の用途および原理の単なる例示であることが理解されなければならない。特許請求の範囲で定義された本発明の真髄および範囲を逸脱することなく、さまざまな他の構成が実施可能であり、他の組み合わせが実現可能である。
【図面の簡単な説明】
【００２２】
【図１】サイドバーを備えた旋回タンブラー錠のシリンダーまたはプラグの端面図である。
【図２】図１の線２−２に沿った縦断面図である。
【図３】図２の線３−３に沿った水平断面図である。
【図４】本発明の鍵ブランクの平面図である。
【図５】非閉鎖位置にある錠の図１と同様の端面図である。
【図６】図５の線６−６に沿った縦断面図である。
【図７】図６の線７−７に沿った水平断面図である。
【図８】マスターキーイングの可能性を例示したスライダーが重ね合わされた本発明のカット鍵の他の実施の形態を示す図である。
【図９】マスターキーイングの可能性を例示したスライダーが重ね合わされた本発明のカット鍵の他の実施の形態を示す図である。
【図１０】マスターキーイングの可能性を例示したスライダーが重ね合わされた本発明のカット鍵の他の実施の形態を示す図である。
【図１１】マスターキーイングの可能性を例示したスライダーが重ね合わされた本発明のカット鍵の他の実施の形態を示す図である。
【図１２】本発明の設定を示すための従来技術のメデコシリンダー錠の断面図である。
【図１３】図１２の線１３−１３に沿った断面図である。
【図１４】本発明の別の実施の形態を示すサイドバーを備えた旋回タンブラー錠のシリンダーの端面図である。
【図１５】図１４の線１５−１５に沿った縦断面図である。
【図１６】図１５の線１６−１６に沿った水平断面図である。
【図１７】施錠位置にあるシリンダーのコンポーネントを示す図１４のシリンダーの端面図である。
【図１８】図１７の線１８−１８に沿った縦断面図である。
【図１９】図１８の線１９−１９に沿った水平断面図である。
【図２０】本発明の鍵のための鍵ブランクの平面図である。
【符号の説明】
【００２３】
１０  シリンダー
１１  タンブラー
１２，１２’  鍵道
１３  構造
１４  タンブラー穴
１６，１６’  サイドバー
１８  カム
１９  カム溝
２０，２０’  突出部
２２，２２’  スロット
２３  突出部
２４，２４’  スライダー
２６  突出部
２８，２８’  ばね
３０  軸穴
３０’  空間
３２，３２’  タング
３３  干渉点
３４  鍵ブランク
３４’  鍵
３５  突出部
３６  つまみ
３８，３８’  ブレード
４０  リブ
４２  接触面
４２’  停止部
４２ａ  端部
４２ｂ  傾斜面
４４  段部
４６  傾斜面
４８  歯形面
【国際公開パンフレット】
2004521201.tif 000003
2004521201.tif 000004
2004521201.tif 000005
2004521201.tif 000006
2004521201.tif 000007
2004521201.tif 000008
2004521201.tif 000009
2004521201.tif 000010
2004521201.tif 000011
2004521201.tif 000012
2004521201.tif 000013
2004521201.tif 000014
2004521201.tif 000015
2004521201.tif 000016
2004521201.tif 000017
2004521201.tif 000018
2004521201.tif 000019
2004521201.tif 000020
2004521201.tif 000021
2004521201.tif 000022
2004521201.tif 000023
2004521201.tif 000024
2004521201.tif 000025
2004521201.tif 000026
【手続補正書】
【提出日】平成15年10月3日(2003.10.3)
【手続補正１】
【補正対象書類名】特許請求の範囲
【補正対象項目名】全文
【補正方法】変更
【補正の内容】
【特許請求の範囲】
【請求項１】
軸および鍵道を備えた回転可能なシリンダーを有するタイプのシリンダー錠であって、上記シリンダー錠は鍵の制御の下でサイドバーと選択的に接触する回転可能な往復運動するタンブラーによって制御されていて、上記シリンダー錠は、
上記鍵と接触することによって動作すると共に上記サイドバーと共に動作して上記サイドバーの施錠の動きおよび上記シリンダー錠の動作を制御する上記タンブラーから分離した移動可能な部材を有し、
上記移動可能な部材が、上記シリンダー内で上記シリンダーの軸と平行に摺動するスライダーからなる、シリンダー錠。
【請求項３】
スライダーが、シリンダーの軸と平行な向きに付勢されている、請求項１記載のシリンダー錠。
【請求項４】
スライダーが、シリンダー内のばねによって鍵道の入り口に向かう向きに押されることによって付勢されている、請求項３記載のシリンダー錠。
【請求項５】
スライダーが、鍵と接触するために鍵道内に延在する拡張部を有する、請求項３記載のシリンダー錠。
【請求項６】
拡張部が、鍵が鍵道に挿入されたときに上記鍵の一部と共に動作するような形状の突出部からなる、請求項５記載のシリンダー錠。
【請求項７】
スライダーがシリンダー錠に設けられた鍵道の開口を通して上記シリンダー錠内に挿入可能である、請求項３記載のシリンダー錠。
【請求項８】
スライダーがシリンダーの端部から長手方向に挿入可能である、請求項３記載のシリンダー錠。
【請求項９】
請求項１記載のシリンダー錠の組み合わせ用の鍵であって、
上記鍵はシリンダーの鍵道に適合し、
上記鍵は、上記鍵が上記鍵道内に挿入されたとき移動可能な部材と接触して上記移動可能な部材の施錠の動きを制御する部分を備えたリブを有する、シリンダー錠の組み合わせ用の鍵。
【請求項１１】
請求項１記載のシリンダー錠および請求項９記載の鍵を有するマスターキーイングシステムであって、
ある鍵がスライダーの動作を制御するように動作し、他の鍵が上記スライダーの動作を制御しないように、上記スライダーの形状および上記鍵の形状が異なっている、マスターキーイングシステム。
【請求項１２】
軸および鍵道を備えた回転可能なシリンダーを含むシリンダー錠の組み合わせであって、上記シリンダーは、サイドバーに接触すると共に上記サイドバーを制御する回転可能な往復運動するタンブラーによって制御されていて、上記シリンダー錠の組み合わせは、
上記シリンダーによって保持されたスライダーと、
上記鍵道の入り口に向けて所定の位置に上記スライダーを付勢するためのばねとを有し、
上記サイドバーは間隔を置いて配置されたタングを有し、
上記スライダーは間隔を置いて配置された突出部を有し、上記サイドバーの上記タングおよび上記スライダーの上記突出部は互いに干渉して、上記スライダーが上記ばねの付勢力に対抗して移動して上記スライダーの上記タングが上記サイドバーの上記突出部の間の空間内に配置されない限り、上記サイドバーの動作を妨げ、
上記スライダーは上記鍵道内に延在する接触面を備えた突出部を有し、
上記シリンダー錠の組み合わせは、上記鍵道内に挿入するための鍵をさらに有し、
上記鍵は、上記スライダーの上記突出部の上記接触面と接触すると共に上記スライダーを上記ばねの付勢力に対抗して上記スライダーの上記タングが上記サイドバーの上記突出部と干渉しない位置まで移動させるための接触面を有する、シリンダー錠の組み合わせ。
【請求項１３】
スライダーが鍵道の底部を通してシリンダー錠内に挿入可能である、請求項１２記載のシリンダー錠の組み合わせ。
【請求項１４】
スライダーがシリンダーの端部の開口を通してシリンダー錠内に長手方向に挿入可能である、請求項１２記載のシリンダー錠の組み合わせ。
【請求項１６】
軸および鍵道を備えた回転可能なシリンダーと、回転可能な往復運動するタンブラーと、上記タンブラーと接触するための移動可能なサイドバーと、上記鍵道内に延在する突出部を備えた上記サイドバーの動作を制御するためのスライダーとを有するシリンダー錠用の鍵であって、
鍵のつまみと、
上記鍵道の輪郭の構成と相補的な輪郭を備えた鍵のブレードと、
上記突出部と共に動作すると共に上記サイドバーを閉鎖しないように上記スライダーを上記シリンダーの上記軸と平行に上記シリンダー内で移動させるための接触面を備えた少なくともひとつのリブと
を有する、シリンダー錠用の鍵。
【請求項１７】
軸および鍵道を備えた回転可能なシリンダーを有するシリンダー錠であって、上記シリンダー錠は、サイドバーに接触すると共に上記サイドバーを制御する回転可能な往復運動するタンブラーによって制御されていて、上記シリンダー錠は、
上記シリンダーに保持されたスライダーと、
上記鍵道の入り口に向けて上記スライダーを付勢するためのばねと
を有し、
上記スライダーが間隔を置いて配置されたタングを有し、
上記サイドバーが間隔を置いて配置された突出部を有し、
上記サイドバーの上記タングおよび上記スライダーの上記突出部は互いに干渉して、上記スライダーが上記ばねの付勢力に対抗して移動して上記スライダーの上記タングが上記サイドバーの上記突出部の間の空間内に配置されない限り、上記サイドバーの動作を妨げ、
上記スライダーが、上記鍵道に挿入可能な適正な鍵と共に動作しかつ上記適正な鍵によって駆動される上記鍵道内に延在する接触面を備えた突出部を有する、シリンダー錠。
【請求項１８】
スライダーの突出部の接触面が、マスターキーイングを提供するために、シリンダー錠用の鍵のさまざまな形状の接触面と共に動作するような形状を有する、請求項１７記載のシリンダー錠。
【手続補正書】
【提出日】平成15年10月3日(2003.10.3)
【手続補正１】
【補正対象書類名】特許請求の範囲
【補正対象項目名】請求項９
【補正方法】変更
【補正の内容】
【請求項９】
請求項１記載のシリンダー錠の組み合わせの鍵であって、
上記鍵はシリンダーの鍵道に適合し、
上記鍵は、上記鍵が上記鍵道内に挿入されたとき移動可能な部材と接触して上記移動可能な部材の施錠の動きを制御する部分を備えたリブを有する、シリンダー錠の組み合わせの鍵。
【手続補正２】
【補正対象書類名】特許請求の範囲
【補正対象項目名】請求項１６
【補正方法】変更
【補正の内容】
【請求項１６】
軸および鍵道を備えた回転可能なシリンダーと、回転可能な往復運動するタンブラーと、上記タンブラーと接触するための移動可能なサイドバーと、上記鍵道内に延在する突出部を備えた上記サイドバーの動作を制御するためのスライダーとを有するシリンダー錠および鍵であって、
鍵のつまみと、
上記鍵道の輪郭の構成と相補的な輪郭を備えた鍵のブレードと、
上記突出部と共に動作すると共に上記サイドバーを閉鎖しないように上記スライダーを上記シリンダーの上記軸と平行に上記シリンダー内で移動させるための接触面を備えた少なくともひとつのリブと
を有する、シリンダー錠および鍵。
【国際調査報告】
2004521201.tif 000027